(57)【特許請求の範囲】
【請求項１】
衣服の合わせ部の一方に取り付けられる雄フック（５０、７０）と、衣服の合わせ部の他側に取り付けられ、前記雄フック（５０、７０）に着脱自在に係止する雌フック（６０、８０）とよりなる衣服用フックにおいて、前記雌フック（６０、８０）は、
底面側に衣服への取り付け部材（２１）を有するガイド部材（２０）と、
該ガイド部材（２０）に滑動自在に取り付けられ前記雄フック（５０）に係止できる部分を有するスライド部材（３０）と、
前記ガイド部材（２０）及び前記スライド部材（３０）の間に挿入されていて前記雄フック（５０）を押圧する方向に前記スライド部材（３０）を常時偏倚している圧縮コイルばね（４０）とよりなり、
前記ガイド部材（２０）は、基板部（２２）と、該基板部（２２）の両縁部に案内溝を形成する案内部（２３）と、ばね部材を収容する空所を有するカバー部（２５）とを有し、
前記スライド部材（３０）は、前記雄フックと係止できる部分を備えたスライド基板部（３２）を有し、該スライド基板部（３２）の両縁は、前記案内部（２３）の前記案内溝により滑動自在に支持されており、
前記コイルばね（４０）は、一端で前記ガイド部材（２０）の一端に設けられた突状ばね止め（２４）により支持され、他端で前記スライド部材（３０）に設けられた突状ばね受け（３４）により支持されていることを特徴とする、衣服用フック。
【請求項２】
前記ガイド部材（２０）は、前記基板部（２２）と該基板部の両縁部に結合し、且つ前記スライド部材（３０）を覆うカバー部材（２５）とからなり、前記カバー部材（２５）は、前記雄フック（５０、７０）に対する逃げを有するように長方形に切り欠かれている請求項１の衣服用フック。
【請求項３】
前記雄フック（７０）は、かぎ状フック部を有しており、前記スライド部材（３０）は、前記かぎ状フック部の係止片（５１）を受け入れる凹部（３７）を有する請求項１又は２の衣服用フック。
【請求項４】
前記雄フック（５０）は、鈎状フック部を有しており、前記スライド部材（３０）は、前記スライド部材（３０）の厚み内に設けられ、前記雄フックのかぎ状フック部の係止片（５１）を受け入れる凹部（３７）を有する請求項１又は２の衣服用フック。
【請求項５】
前記係止片（５１）の側面と該側面に対向する前記凹部（３７）の側面には、クリック突起とクリック溝が形成されている、請求項３又は４の衣服用フック。
【発明の詳細な説明】
【０００１】
【発明の属する技術分野】
本発明は、ズボンやスカート等の衣服等のウェスト寸法をある範囲で自動的に調整可能にしたフックに関する。
【０００２】
【従来の技術】
ズボンやスカートのウエストの開放端部フラップにそれぞれ雌雄フックを取り付け、これらのフックを互いに係合させることにより、フラップを閉鎖する場合にウェスト寸法をある範囲で自動的に調整可能にしたフックは、従来から知られている。例えば食事の前後でウエストの寸法が変動するが、ウエスト寸法の変動は、ベルトにかかる張力の変動となるので、これを自動的に感知して自動的にフックの開放端部フラップに対する位置を調整することが（１）韓国実用新案公報第２２６５号、（２）特開２０００−５０９１３号及び（３）実公昭３５−４４２号で提案されている。
【０００３】
上記（１）の文献には、雌雄フックの衣服への固定手段を有する箱形固定基部の内部空洞内に直立したスライド板を移動自在に取り付け、各固定基部の表面壁にガイドスリットを設け、ガイドスリットからスライド板の腕を貫通させ、その腕の先端に雌雄かぎ部材を形成し、固定基部の内部空洞には、一端がガイド板の立壁を押し、他端が固定基部の端壁を押すようにコイルばねを挿入している。この雌雄フックは、移動ストロークが両フックの各ストロークの和になるので、ウエスト寸法の伸縮に応じた腹圧の作用で広い範囲の自動調節が可能となる。
【０００４】
上記（２）の文献では、ストロークは雄フックにより調整し、他方のフックは、簡略な単純なバー状雌フックを使用した、より簡略なフックを提案している。すなわち、図１に示したように、衣服等の開放端部の一端に取り付けられる雄フック１０１と、開放端部の他端に取り付けられ、前記雄フックと着脱自在に掛止する雌フック１０４とから構成されるフックであって、前記雄フック１０１の構成を、圧縮ばねである板ばね（又は、弦巻ばね）１３１（又は、伸張弦巻ばね）を収装する溝１１２を長手方向に形成した雄フック基体１１１と、該雄フック基体１１１がガイド部材となり、且つ雄フック基体１１１との間に圧縮ばね１３１（或いは、伸張ばね）の収装空間を確保し、雌フック１０４に掛止する掛止手段１２２を具備した雄フック主体１２１と、から構成されている。又、上記雄フック基体１１１の両側縁に摺動レール１１４を具備させ、上記雄フック主体１２１には、両側縁を一方の面側に折返して、前記摺動レールを摺動自在に抱持する抱持腕１２３を形成し、摺動レール１１４に抱持腕１２３を抱持させて雄フック基体１１１と雄フック主体１２１を摺動自在に係着し、抜脱防止手段によりこれらの離脱を防止する構成とする。更に上記雄フック基体１１１は、収装空間１１３内に突出する衝止突起１１５又、上記雄フック主体１２１は、収装空間内に突出する押動突起１２４をそれぞれ具備し、溝１１２に収装した蛇行板ばねの両端を前記衝止突起及び押動突起で圧縮することにより、雄フック基体１１１に対する雄フック主体の摺動を弾力的に制御している。板ばね１３１の代わりに伸張ばねを使用し、その両端をそれぞれ雄フック基体１１１と雌フック基体１２１のそれぞれの突起に引っかけて同様な作用を行わせる。
【０００５】
上記〔３〕の文献に記載の技術は、ほぼ上記（２）に相当する構造を有する。ただし、上記雄フック基体の両側縁に摺動レールを具備させる代わりに、雄フック主体の両側縁を摺動レールとし、雄フック基体の両縁部から延長する側縁を雄フック主体側に折り返して形成した抱持腕により雄フック主体の摺動レールを抱持し、それにより両者を相対的に摺動自在としている。又、雄フック基体と雄フック主体の間に形成される縦溝に収納されるばねは伸張ばねであり、その両端を雄フック基体と雄フック主体にそれぞれ引っ掛けたものである。作用は〔２〕と実質的に変わらない。
【０００６】
【発明が解決しようとする課題】
上記（１）の構造は、直立したスライド板を使用するので、案内が円滑に行かず、ばねとスライド板を収容する箱状基部が閉じており、しかもガイド溝をその上壁にスリット状に切り込んで形成しなければならないので加工が困難であるなどの問題がある。
上記（２）、（３）の構造は、製作が容易であると考えられるが、雌フックへの係止部材が雄フック主体から上方に突出するので、ばねを収納するための雄フック基体及び雄フック主体の厚みに加えて係止部材と突出高さが加わって全体が厚ぼったい感じになって美感を損ない、商品価値を損なう問題がある。
従って、本発明は、円滑な動作が確保でき、腹圧等によりフックが負荷を受けたときに雌雄フックウエスト寸法の自動調節が円滑に行われる構造の衣服用フックにおいて、更に全体厚さを減少した雌フック又は雄フックを提供することを目的とする。
【０００７】
【課題を解決するための手段】
すなわち本発明は、
（１）本発明は、衣服の合わせ部の一方に取り付けられる雄フック（５０、７０）と、衣服の合わせ部の他側に取り付けられ、前記雄フック（５０、７０）に着脱自在に係止する雌フック（６０、８０）とよりなる衣服用フックにおいて、前記雌フック（６０、８０）は、
底面側に衣服への取り付け部材（２１）を有するガイド部材（２０）と、
該ガイド部材（２０）に滑動自在に取り付けられ前記雄フック（５０）に係止できる部分を有するスライド部材（３０）と、
前記ガイド部材（２０）及び前記スライド部材（３０）の間に挿入されていて前記雄フック（５０）を押圧する方向に前記スライド部材（３０）を常時偏倚している圧縮コイルばね（４０）とよりなり、
前記ガイド部材（２０）は、基板部（２２）と、該基板部（２２）の両縁部に案内溝を形成する案内部（２３）と、ばね部材を収容する空所を有するカバー部（２５）とを有し、前記スライド部材（３０）は、前記雄フック（５０）に係止できる部分を備えたスライド基板部（３２）を有し、該スライド基板部（３２）の両縁は、前記案内部（２３）の前記案内溝により滑動自在に支持されており、
前記コイルばね（４０）は、一端で前記ガイド部材（２０）の一端に設けられた突状ばね止め（２４）により支持され、他端で前記スライド部材（３０）に設けられた突状ばね受け（３４）により支持されていることを特徴とする、衣服用フックである。
この形態では、腹圧等の力に応じたフックの相対位置が自動的に調整可能となるだけでなく、ばねがコイルばね（４０）で構成されており、且つその両端部がそれぞれガイド部材（２０）とスライド部材（３０）の間の適正位置に常時保持されるので、円滑なスライド動作を達成できる。
更に、この形態では、第１部材が鈎状の雄部材で構成され、第２部材が表面に突出物のない平板状に構成できるので、全体的に薄型となり、外観が改善されるだけでなく、余計な引っかかりを生じない。
（２）本発明の他の形態では、上記（１）において、前記ガイド部材（２０）は、前記基板部（２２）と該基板部の両縁部に結合し、且つ前記スライド部材（３０）を覆うカバー部材（２５）とからなり、前記カバー部材（２５）は、前記雄フック（５０）に対する逃げを有するように長方形に切り欠かれている。これにより切欠きの長さを調整することにより、目的に応じたストロークの長さを任意に設計することが可能となる。
（３）本発明の更に他の形態では、上記（１）又は（２）において、前記雄フック（７０）は、かぎ状フック部を有しており、前記スライド部材（３０）は、前記かぎ状フック部の係止片（５１）を受け入れる凹部（３７）を有する。この形態では、両フックの総合厚さが減少し薄型に出来る。
（４）本発明の更に他の形態では、上記（１）又は（２）において、前記雄フック（５０）は、かぎ状フック部を有しており、前記スライド部材（３０）は、前記スライド部材（３０）の厚み内に設けられ、前記雄フックのかぎ状フック部の係止片（５１）を受け入れる凹部（３７）を有する。この形態では、両フックの総合厚さが減少しさらに薄型に出来る。
（５）本発明の更に他の形態では、上記（４）に於いて、前記係止片（５１）の側面と該側面に対向する前記凹部の側面とには、クリック突起とクリック溝が形成されている。この形態によると、腹圧等の力が少ないときにフックが外れることが防止されるだけでなく、両フックの係着が使用者に感得出来る。
【０００８】
【発明の実施の形態】
次に本発明を図２以下を参照して詳しく説明する。
実施例１
図２〜図６は、本発明の第１実施例を例示する。
この実施例によるフックは、全厚が薄く形成でき、又外観が改善される。
この実施例では雄フックは、単純にかぎ状のフック部を有し、雌フック側に本発明の構造が採用されている。
図２，３，４のように、雄フック５０は、衣服への針状取り付け部材５２を有する基板５３と、基板５３に平行な係止片５１を備えたかぎ状のフック部とから構成される。係止片５１は、雌フック６０に挿入しやすいように前縁が半円形に構成されている。前縁部を肉薄に形成しても良い。
図２，３のように、雌フック６０は、底面側に衣服への取り付け部材２１を有するガイド部材２０と、ガイド部材２０に滑動自在に取り付けられ雄フック５０に係止できる部分を有するスライド部材３０と、ガイド部材２０及びスライド部材３０の間に挿入されていてスライド部材３０の前記雄フック５０に係止できる部分（下記スライド基板部３２の凹部３７の壁面）が雄フック５０を押圧する方向にスライド部材３０を常時偏倚させている圧縮コイルばね４０とよりなる。
ガイド部材２０は、基板部２２と該基板部２２の両縁部に案内溝を形成する案内部２３と、コイルばね４０を収容するカバー部２５を有する。カバー部２５と案内部２３の上板２６を一体に形成し、この上板２６を平板状の基板部２２の側辺に曲げつけて案内部２３を形成することができる。案内部２３の前端には、スライド部材のためのストッパ２７が設けてある。なお、取り付け部材２１は、基板部２２に形成しても良いし、上板２６のこの曲げ付けた下面に形成しても良い。
図６のように、スライド部材３０は、雄フック５０の幅Ｂの係止片５１を受け入れて保持するＵ字形凹部３７を有する二股状のスライド基板部３２と、カバー部２５の端部のストッパ２７に接触する停止面３５と、コイルばね４０の一端を保持するばね受け３４を有する。スライド基板部３２の両縁は、前記案内部２３の案内溝により滑動自在に支持されている。両案内部２３の間には、幅Ｃで且つ所望の調節範囲の長さの長方形切り欠き部２８が形成されており、雄フック５０のフック部の基部５６の幅Ａは、幅Ｃより少しだけ小さく、それにより、係止片５１をガイド部材２０の前端からガイド部材２０に挿入してスライド部材３０のＵ字形凹部３７に係止させた状態で、基板部５３が案内部２３の上板２６と嵌合状態で長方形切り欠き部２８内を縦方向に移動できるようにしている。
コイルばね４０は、一端でガイド部材２０の基板部２２の一端に設けられた突状ばね止め２４により支持され、他端でスライド部材３０に設けられた前記突状ばね受け３４により支持されている。
【０００９】
使用において、例えばズボンの前部開放部の両フラップに取り付け部材５２，２１で雌雄フックを固定し、雄フック５０の係止片５１を案内部２３の開放前端から挿入する。係止片５１は、スライド部材３０のＵ字形凹部３７に挿入されスライド基板部３２に軽い係止状態で保持される。図６の斜線部分がその保持部であり、雄フックの起きあがりが抑制される。食事等によりウエスト寸法が大きくなると、図２，３において相対的に雄フック５０は右へ、雌フック６０は左へひかれる。これによりスライド部材３０は、コイルばね４０の力に抗しながら右に移動して、自動的に両フックの相対位置を調整する。
この例では、コイルばね４０の両端が一定位置に保持されるのでスライド部材３０の動作が円滑になるほか、雄フック５０の鈎状係止片５１が雌フック６０の内部に入るので、その分だけ薄型となる。
【００１０】
実施例２
図７〜１０は、本発明の第２実施例を例示する。
この実施例によるフックは全厚が薄く形成でき、又外観が全体的に平板状に改善される。この実施例では雄フックは単純にかぎ状のフック部を有し、雌フック側に本発明の構造が採用されている。
図９のように、雄フック７０は実施例１に於いて説明したと同様な構造を有するので、図２，３，４の雄フックの構造を参照されたい。好ましくは更に雄フック７０のかぎ状フック部の係止片５１の側部にくびれ５５を作り、軽いクリックアクションを付与する（後述）。
図７〜８のように、雌フック８０は、底面側に衣服への取り付け部材２１を有するガイド部材２０と、ガイド部材２０に滑動自在に取り付けられ雄フック７０に係止できる部分を有するスライド部材３０と、ガイド部材２０及びスライド部材３０の間に挿入されていてスライド部材３０が雄フック５０を押圧する方向にスライド部材３０を常時偏倚させている圧縮コイルばね４０とよりなる。
ガイド部材２０は基板部２２と該基板部２２の両縁部に案内溝を形成する案内部２３と、コイルばね４０を収容する全体的に平坦なカバー部２５を有する。カバー部２５と案内部２３の上板を一枚の平板から形成し、この上板を平板状の基板部２２の両側辺に曲げつけて案内部２３を形成することができる。案内部２３の前端にはスライド部材のためのストッパ２７が設けてある。なお、取り付け部材２１は基板部２２に形成しても良いし、案内部２３の下面に形成しても良い。
図１０のように、スライド部材３０は雄フック７０の係止片５１を受け入れて保持するＵ字形凹部３７を底面側に有するスライド基板部３２と、コイルばね４０の一端を保持するばね受け３４を有し、さらに、カバー部２５の端部のストッパ２７に接触する停止面３５を有する。スライド基板部３２の両縁は前記案内部２３の案内溝により滑動自在に支持されている。両縁部の案内部２３の間には幅Ｃで且つ所望の調節範囲の長さの長方形切り欠き部２８が形成されており、雄フック５０の幅Ａは幅Ｃより少しだけ小さく、実施例１の場合と同様に雄フック７０の移動を可能にしている。スライド基板部３２の凹部３７における前端底面には雄フック７０の係止片５１の挿入を助けるテーパ面３８を有する。なお、基板の前端２２’にもテーパを付けてガイドとしても良い。凹部３７の側壁には雄フック７０のくびれ５５に対応した位置及び形状の突部３６を設けることにより、雌雄フック７０，８０の挿脱持に使用者に対して雌雄フックの正しい係合を告げるクリック感を与えることができる。
図７〜８のように、コイルばね４０は一端でガイド部材２０の基板部２２の一端に設けられた突状ばね止め２４により支持され、他端でスライド部材３０に設けられた前記突状ばね受け３４により支持されている。
【００１１】
使用において、例えばズボンの前部開放部の両フラップに取り付け部材５２，２１で雌雄フック７０、８０をそれぞれ固定し、雄フック７０の係止片５１を案内部３２の開放前端から挿入する。係止片５０はスライド部材３０のＵ字形凹部３７に挿入されスライド基板部３３に軽い係止状態で保持される。食事等によりウエスト寸法が大きくなると、図８〜９おいて相対的に雄フック７０は右へ、雌フック８０は左へひかれる。これによりスライド部材３０はコイルばね４０の力に抗しながら右に移動して、自動的に両フックの相対位置を調整する。又クリック感も得られる。この例でも、実施例１と同様にコイルばね４０の作用が安定すると共に、薄型となり外観が改善される。
【図面の簡単な説明】
【図１】従来の自動調整式雌雄フックよりなるフックの分解斜視図である。
【図２】本発明の第１実施例による雌雄フックを組み合わせたフックの平面図である。
【図３】同フックの正面図であり、雌フックは中央水平断面で示してある。
【図４】同フックのうち、雄フックの左側面図である。
【図５】同フックのうち、雌フックの右側面図である。
【図６】同フックのうち、雌フックのスライダー部を示し、（ａ）は平面図、（ｂ）は中央断面図である。
【図７】本発明の第２実施例の雌フックの平面図である。
【図８】同雌フックの中央断面図である。
【図９】同フックの雄フックを示す平面図である。
【図１０】同フックの雌フックにおけるスライド部材を示す底面図である。
【符号の説明】
２０  ガイド部材
２１  取り付け部材
２２  基板部
２３  案内部
２４  突状ばね止め
２５  カバー部
２６  上板
２７  ストッパ
２８  長方形切り欠き部
３０  スライド部材
３１  雄フック部
３２  スライド基板部
３４  突状ばね受け
３５  停止面
３７  Ｕ字形凹部
３８  テーパ面
４０  コイルばね
５０、７０  雄フック
５１  係止片
５２  取り付け部材
５３  基板
５５  くびれ
５６  基部
６０、８０  雌フック
【図１】
0003811607.tif 000002
【図２】
0003811607.tif 000003
【図３】
0003811607.tif 000004
【図４】
0003811607.tif 000005
【図５】
0003811607.tif 000006
【図６】
0003811607.tif 000007
【図７】
0003811607.tif 000008
【図８】
0003811607.tif 000009
【図９】
0003811607.tif 000010
【図１０】
0003811607.tif 000011